(57)【要約】【課題】用紙を搬送ベルトで搬送することで用紙先端から記録を開始できるようにした場合には、用紙先端検知にずれが生じると、搬送ベルト上に液滴が着弾して搬送ベルトが汚れるなどの誤記録が発生する。【解決手段】記録ヘッド７を搭載したキャリッジ３に搬送ベルト２１で搬送される用紙１２を検知する用紙センサ４１を設け、この用紙センサ４１で用紙１２の先端を検知するようにした。【選択図】  図３
2004351837.tif 000002
【特許請求の範囲】
【請求項１】
記録を行う手段を搭載したキャリッジを走査して記録媒体に対して画像を形成する画像形成装置において、前記キャリッジには前記記録媒体の先端を検知するための検知手段を備えたことを特徴とする画像形成装置。
【請求項２】
請求項１に記載の画像形成装置において、前記検知手段の出力信号の伝達にアナログ方式を用いて処理することを特徴とする画像形成装置。
【請求項３】
請求項１に記載の画像形成装置において、前記検知手段の出力信号の伝達にデジタル方式を用いて処理することを特徴とする画像形成装置。
【請求項４】
記録を行う手段を搭載したキャリッジを走査して記録媒体に対して画像を形成する画像形成装置において、前記キャリッジに前記記録媒体の前記キャリッジの走査方向の幅を検知するための検知手段を備えたことを特徴とする画像形成装置。
【請求項５】
請求項４に記載の画像形成装置において、前記検知手段の出力信号の伝達にアナログ方式を用いて処理することを特徴とする画像形成装置。
【請求項６】
請求項５に記載の画像形成装置において、前記検知手段の出力信号の伝達にデジタル方式を用いて処理することを特徴とする画像形成装置。
【請求項７】
請求項４ないし６のいずれかに記載の画像形成装置において、前記キャリッジの最初の走査時にのみ前記記録媒体の幅を検知する動作を行うことを特徴とする画像形成装置。
【請求項８】
請求項１ないし７のいずれかに記載の画像形成装置において、前記検知手段は前記画像を形成する手段による画像形成開始位置よりも記録媒体搬送方向上流側で前記記録媒体を検知可能で、かつ前記キャリッジのホーム位置で画像形成領域側に位置することを特徴とする画像形成装置。
【発明の詳細な説明】
【０００１】
【産業上の利用分野】
本発明は画像形成装置に関する。
【０００２】
【従来の技術】
【特許文献１】特開２０００−９４７８２号公報
【０００３】
プリンタ、ファクシミリ、複写装置等の画像形成装置（或いは画像記録装置ともいう。）として、例えばインクジェット記録装置が知られている。インクジェット記録装置は、インク記録ヘッドから用紙（紙に限定するものではなく、ＯＨＰなどを含み。液滴が付着可能なものの意味であり、被記録媒体あるいは記録媒体、記録紙などとも称される。）にインク滴を吐出して記録（画像形成）を行うものであり、高精細な画像を高速で記録することができ、ランニングコストが安く、騒音が少なく、しかも、多色のインクを使用してカラー画像を記録するのが容易であるなどの利点を有している。
【０００４】
このようなインクジェット記録装置において、画像を形成する手段である記録ヘッドをキャリッジに搭載して、キャリッジを走査させ、記録媒体を搬送することで画像を形成する装置では、記録媒体の位置情報、サイズ情報が重要になってくる。記録媒体の位置情報を正確に取得することによって記録開始（画像形成開始）を正確な位置から行うことができ、品質を向上することができる。
【０００５】
特に、記録媒体を搬送ベルトを用いて搬送する装置においては、記録媒体を外れた位置で記録ヘッドからインク滴を吐出させると、搬送ベルト上にインク滴が着弾して記録媒体の裏面が汚れるなどの不具合が生じる。
【０００６】
ここで、従来、例えば
【特許文献１】に記載されているように、用紙長を測定するセンサを備えて、このセンサによって用紙長（用紙搬送方向の長さ）を検出するようにしたものがある。
【０００７】
また、従来、記録媒体が画像形成部（記録部）に到達すること（先端検知）は、記録媒体の送り量や、ある位置に固定したセンサ等で行っている。
【０００８】
【発明が解決しようとする課題】
しかしながら、記録媒体の先端検知を記録媒体の送り量で行うと、記録媒体のセットのバラツキ、搬送機構で発生するズレなど物理的な誤差が影響して正確な位置を制御するのは難しい。また、センサを固定した位置に取り付けて記録媒体の検知をおこなう方式もセンサを配置する位置を記録媒体のサイズに対する配慮が必要になり、機構的なレイアウトに悪影響を与える場合がある。
【０００９】
また、記録媒体の幅検知についても同様の課題がある。すなわち、パソコンなどから送られてくる印刷命令に従って記録動作をおこなう場合、従来はパソコンより送られてきた印刷命令のみにしたがって記録動作を行っているため、記録媒体の端が一部切れていたり、折れ曲がっていた場合も記録媒体のない場所に対して記録動作を行ってしまっている。また、記録媒体が進行方向に対し、斜めに搬送されてきた場合や、記録媒体の端が途中で一部切れていた場合なども同様の課題があるため、記録媒体の幅の検知はダイナミックに行えることが好ましい。
【００１０】
本発明は上記の課題に鑑みてなされたものであり、簡単な構成で用紙の先端及び用紙幅を検知でき、誤記録を防止可能な画像形成装置を提供することを目的とする。
【００１１】
【課題を解決するための手段】
上記の課題を解決するため、本発明に係る画像形成装置は、キャリッジに記録媒体の先端を検知するための検知手段を備えた構成とした。
【００１２】
ここで、検知手段の出力信号の伝達にアナログ方式を用いて処理すること、あるいは、検知手段の出力信号の伝達にデジタル方式を用いて処理することができる。
【００１３】
本発明に係る画像形成装置は、キャリッジに記録媒体のキャリッジの走査方向の幅を検知するための検知手段を備えた構成とした。
【００１４】
ここで、検知手段の出力信号の伝達にアナログ方式を用いて処理すること、あるいは、検知手段の出力信号の伝達にデジタル方式を用いて処理することができる。また、キャリッジの最初の走査時にのみ記録媒体の幅を検知する動作を行うことが好ましい。
【００１５】
これらの本発明に係る画像形成装置においては、検知手段は画像を形成する手段による画像形成開始位置よりも記録媒体搬送方向上流側で記録媒体を検知可能で、かつキャリッジのホーム位置で画像形成領域側に位置することが好ましい。
【００１６】
【発明の実施の形態】
以下、本発明の実施の形態を添付図面を参照して説明する。図１は本発明に係る画像形成装置の一例を示すインクジェット記録装置の全体構成を説明する側面説明図、図２は同記録装置の要部平面説明図、図３は同記録装置の要部斜視説明図である。
【００１７】
このインクジェット記録装置は、図示しない左右の側板に横架したガイド部材であるガイドロッド１とガイドレール２とでキャリッジ３を主走査方向に摺動自在に保持し、主走査モータ４でタイミングベルト５を介して図２で矢示方向（主走査方向）に移動走査する。
【００１８】
このキャリッジ３には、イエロー（Ｙ）、シアン（Ｃ）、マゼンタ（Ｍ）、ブラック（Ｂｋ）の各色のインク滴を吐出する４個のインクジェットヘッドからなる記録ヘッド７を複数のインク吐出口を主走査方向と交叉する方向に配列し、インク滴吐出方向を下方に向けて装着している。
【００１９】
記録ヘッド７を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものなどを使用できる。
【００２０】
また、キャリッジ３には、記録ヘッド７に各色のインクを供給するための各色のサブタンク８を搭載している。このサブタンク８には図示しないインク供給チューブを介してメインタンク（インクカートリッジ）からインクが補充供給される。
【００２１】
一方、給紙カセット１０などの用紙積載部（圧板）１１上に積載した用紙１２を給紙するための給紙部として、用紙積載部１１から用紙１２を１枚づつ分離給送する半月コロ（給紙ローラ）１３及び給紙ローラ１３に対向し、摩擦係数の大きな材質からなる分離パッド１４を備え、この分離パッド１４は給紙ローラ１３側に付勢されている。
【００２２】
そして、この給紙部から給紙された用紙１２を記録ヘッド７の下方側で搬送するための搬送部として、用紙１２を静電吸着して搬送するための搬送ベルト２１と、給紙部からガイド１５を介して送られる用紙１２を搬送ベルト２１との間で挟んで搬送するためのカウンタローラ２２と、略鉛直上方に送られる用紙１２を略９０°方向転換させて搬送ベルト２１上に倣わせるための搬送ガイド２３と、押さえ部材２４で搬送ベルト２１側に付勢された先端加圧コロ２５とを備えている。また、搬送ベルト２１表面を帯電させるための帯電手段である帯電ローラ２６を備えている。
【００２３】
ここで、搬送ベルト２１は、無端状ベルトであり、搬送ローラ２７とテンションローラ２８との間に掛け渡されて、副走査モータ３１からタイミングベルト３２及びタイミングローラ３３を介して搬送ローラ２７が回転されることで、図２の矢示方向（ベルト（用紙）搬送方向）に周回するように構成している。
【００２４】
この搬送ベルト２１は、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏層（中抵抗層、アース層）とを有している。
【００２５】
また、搬送ローラ２７とカウンタローラ２２とで搬送ローラニップ部１８を形成し、この搬送ローラニップ部１８よりも用紙搬送方向上流側の所定の位置に用紙１２を検出する用紙検出センサ１６を配置している。この用紙検出センサ１６は用紙１２が検知レバー１７を変位させることで用紙１２を検出する（図１の破線図示の位置がオン位置である）。なお、用紙検出センサ１６は用紙給紙を検出するためのものである。
【００２６】
帯電ローラ２６は、搬送ベルト２１の表層に接触し、搬送ベルト２１の回動に従動して回転するように配置され、加圧力として軸の両端に各２．５Ｎをかけている。また、搬送ローラ２７はアースローラの役目も担っており、搬送ベルト２１の中抵抗層（裏層）と接触配置され接地している。
【００２７】
また、搬送ベルト２１の裏側には、記録ヘッド４による印写領域に対応してガイド部材３６を配置している。このガイド部材３６は、上面が搬送ベルト２１を支持する２つのローラ（搬送ローラ２７とテンションローラ２８）の接線よりも記録ヘッド７側に突出している。これにより、搬送ベルト２１は印写領域ではガイド部材３６の上面にて押し上げられてガイドされる。
【００２８】
そして、搬送ベルト２１で搬送される用紙１２の先端を検知するために、図３にも示すように、キャリッジ３には検知手段である反射型フォトセンサからなる用紙センサ４１を設けている。また、この用紙センサ４１はキャリッジ３がホーム位置（図３の実線図示の位置）にあるときに記録領域（画像形成領域）側（搬送ベルト２１側）に位置する側に設けている。
【００２９】
また、キャリッジ３の前方側には、図１及び図３に示すように、スリットを形成したエンコーダスケール４２を設け、キャリッジ３の前面側にはエンコーダスケール４２のスリットを検出する透過型フォトセンサからなるエンコーダセンサ４３を設け、これらによって、キャリッジ３の主走査方向位置（ホーム位置に対する位置）を検知するためのエンコーダ４４を構成している。
【００３０】
さらに、記録ヘッド７で記録された用紙１２を排紙するための排紙部として、搬送ベルト２１から用紙１２を分離するための分離部と、排紙ローラ５２及び排紙コロ５３と、排紙される用紙１２をストックする排紙トレイ５４とを備えている。
【００３１】
また、背部には両面給紙ユニット６１が着脱自在に装着されている。この両面給紙ユニット６１は搬送ベルト２１の逆方向回転で戻される用紙１２を取り込んで反転させて再度カウンタローラ２２と搬送ベルト２１との間に給紙する。
【００３２】
このように構成したインクジェット記録装置においては、給紙部から用紙１２が１枚ずつ分離給紙され、略鉛直上方に給紙された用紙１２はガイド１５で案内され、搬送ベルト２１とカウンタローラ２２との間に挟まれて搬送され、更に先端を搬送ガイド２３で案内されて先端加圧コロ２５で搬送ベルト２１に押し付けられ、略９０°搬送方向を転換される。
【００３３】
このとき、図示しない制御回路によって高圧電源から帯電ローラ２６に対してプラス出力とマイナス出力とが交互に繰り返すように、つまり交番する電圧が印加され、搬送ベルト２１が交番する帯電電圧パターン、すなわち、周回方向である副走査方向に、プラスとマイナスが所定の幅で帯状に交互に帯電されたものとなる。このプラス、マイナス交互に帯電した搬送ベルト２１上に用紙１２が給送されると、用紙１２内で帯電パターンと反対の電荷に分極するので、平行接続されたコンデンサが形成されたこととなり、用紙１２が搬送ベルト２１に吸着され、搬送ベルト２１の周回移動によって用紙１２が副走査方向に搬送される。
【００３４】
そこで、キャリッジ３を移動させながら画像信号に応じて記録ヘッド７を駆動することにより、停止している用紙１２にインク滴を吐出して１行分を記録し、用紙１２を所定量搬送後、次の行の記録を行う。記録終了信号又は用紙１２の後端が記録領域に到達した信号を受けることにより、記録動作を終了して、用紙１２を排紙トレイ４４に排紙する。
【００３５】
また、両面印刷の場合には、表面（最初に印刷する面）の記録が終了したときに、搬送ベルト２１を逆回転させることで、記録済みの用紙１２を両面給紙ユニット６１内に送り込み、用紙１２を反転させて（裏面が印刷面となる状態にして）再度カウンタローラ２２と搬送ベルト２１との間に給紙し、タイミング制御を行って、前述したと同様に搬送ベル２１上に搬送して裏面に記録を行った後、排紙トレイ４４に排紙する。
【００３６】
次に、このインクジェット記録装置の制御部の概要について図４を参照して説明する。なお、図４は同制御部の全体ブロック説明図である。
この制御部は、プリンタコントローラ７０と、主走査モータ４及び副走査モータ３１を駆動するためのモータドライバ８１と、給紙ローラ１３に副走査モータ３１の回転を伝達するための給紙クラッチ８３を駆動するためのドライバ８２と、記録ヘッド７（インクジェットヘッド）を駆動するためのヘッドドライバ（ヘッド駆動回路、ドライバＩＣで構成）８４等を備えている。
【００３７】
プリンタコントローラ７０は、パーソナルコンピュータ等の情報処理装置、イメージスキャナなどの画像読み取り装置、デジタルカメラなどの撮像装置などのホスト側からの印刷データ等をケーブル或いはネットを介して受信するインターフェース（以下「Ｉ／Ｆ」という）７２と、ＣＰＵ等からなる主制御部７３と、各種データの記憶等を行うＲＡＭ７４と、各種データ処理のためのルーチン等を記憶したＲＯＭ７５と、記録ヘッド７への駆動波形を発生させる駆動信号発生回路７７と、ドットパターンデータ（ビットマップデータ）に展開された印字データ及び駆動波形等をヘッドドライバ８４に送信するためのＩ／Ｆ７８、モータ駆動データをモータドライバ８１に送信し、クラッチオン信号をドライバ８２に送信するためのＩ／Ｆ７９等とを備えている。
【００３８】
ＲＡＭ７４は各種バッファ及びワークメモリ等として用いる。ＲＯＭ７５は主制御部７３によって実行する各種制御ルーチンとフォントデータ及びグラフィック関数、各種手続き等を記憶している。
【００３９】
主制御部７３は用紙検出センサ１６からの検出信号に基づいて給紙制御を行う。また、主制御部７３はエンコーダ４４の出力信号に基づいてキャリッジ３の主走査方向の位置を検出してキャリッジ３の停止位置制御を行い、用紙センサ４２の検知信号に基づいて用紙１２の先端位置検知及び搬送ベルト２１上での用紙１２の有無の検出を行う。
【００４０】
この主制御部７３は、Ｉ／Ｆ７２に含まれる受信バッファ内の印刷データを読み出して解析し、この解析結果（中間コードデータ）をＲＡＭ７４の所定のエリアに記憶し、記憶した解析結果からＲＯＭ７５に格納したフォントデータを用いて画像出力するためのドットパターンデータを生成し、ＲＡＭ７４の異なる所定のエリアに再び記憶する。なお、ホスト側のプリンタドライバで画像データをビットマップデータに展開してこの記録装置に転送する場合には、単にＲＡＭ７４に受信したビットマップの画像データを格納する。
【００４１】
そして、主制御部７３は、記録ヘッド７の１行分に相当するドットパターンデータが得られると、この１行分のドットパターンデータを、発振回路７６からのクロック信号ＣＬＫに同期して、Ｉ／Ｆ７８を介してヘッドドライバ８２にシリアルデータで送出し、また所定のタイミングでラッチ信号をヘッドドライバ８２に送出する。
【００４２】
駆動信号発生回路７７は、駆動波形（駆動信号）のパターンデータを格納したＲＯＭ（ＲＯＭ７５で構成することもできる。）と、このＲＯＭから読み出される駆動波形のデータをＤ／Ａ変換するＤ／Ａ変換器を含む波形生成回路及びアンプ等で構成している。
【００４３】
ヘッドドライバ８２は、主制御部７３からのクロック信号及び印字信号であるシリアルデータを入力するシフトレジスタと、シフトレジスタのレジスト値を主制御部７３からのラッチ信号でラッチするラッチ回路と、ラッチ回路の出力値をレベル変化するレベル変換回路（レベルシフタ）と、このレベルシフタでオン／オフが制御されるアナログスイッチアレイ（スイッチ手段）とからなり、アナログスイッチアレイのオン／オフを制御することで駆動波形に含まれる所要の駆動波形を選択的にヘッド７に印加する。
【００４４】
次に、主制御部７３による印字制御（記録制御）の概要について図５ないし図７をも参照して説明する。
主制御部７３は、給紙に先立って、主走査モータ４を回転駆動して、図６に示すように非記録位置にあるキャリッジ３を図７に示すように白抜き矢印方向に移動せて、搬送ベルト２１の略中央部（あるいは給紙する用紙サイズの用紙の略中央部）に位置させた後、給紙クラッチ８３をオンして副走査モータ３１の回転を給紙ローラ１３に与える。これにより、給紙ローラ１３が時計方向に１回転し、給紙トレイ１０から用紙１２がフリクションパッド１４で１枚に分離されて送り出される。
【００４５】
そして、用紙センサ４１の検知信号をチェックして用紙１２の先端が検知されたか否かを判別し、用紙１２の先端を検知した時から用紙１２を所定の印字開始位置まで搬送（フィード）して停止させる。なお、この場合、図８に示すように、用紙センサ４１を記録ヘッド７による印字領域（画像形成領域）よりも用紙搬送方向上流側で用紙１２の先端を検知する位置に設けておけば、用紙１２の先端の検知位置ずれが生じても、用紙１２を印字開始位置に確実に送ることができ、用紙１２の先端から印字を開始する場合でも搬送ベルト２１上に誤印字されるようなことはない。
【００４６】
その後、キャリッジ３を一旦ホーム位置に戻し、ホーム位置を基準にしてエンコーダ４４の出力に基づいてキャリッジ３の記録領域側への移動を開始し、このとき用紙センサ４１の検知信号をチェックして用紙１２があるか否かを判別し、用紙１２があるときに所要の印字（記録動作）を行い、用紙１２が検出されないときには記録動作を行わない。これにより、用紙１２がない箇所での印字（インク滴吐出）が行われないので、搬送ベルト２１上にインク滴を打ち込むことがなくなり、搬送ベルト２１や用紙１２の汚れを防止することができる。
【００４７】
次に、用紙センサ４１として反射型フォトセンサを用いた場合の処理について説明する。
反射型フォトセンサは、光の反射量を電圧に変換して出力する素子であり、反射型フォトセンサを用いる場合、センサを用紙に向けた方向で搭載し、搬送ベルト２１と用紙１２との光の反射率の違いからくる、反射量の違いを利用して用紙１２の有無を検知する。
【００４８】
この反射型フォトセンサを用いた場合の回路構成の一例を図９に示している。この回路構成は、発光素子４１Ａａと受光素子４１Ａｂとを有する反射型フォトセンサ４１Ａにて搬送ベルト２１上の用紙１２を検知し、反射型フォトセンサ４１から出力される電気信号（出力信号）をボルテージフォロア回路１０１を介して制御部７０を構成する記録動作等の制御を行う記録制御ＩＣ１０３に入力している。
【００４９】
すなわち、センサ４１Ａから出力される電気信号は非常に微弱なため入力インピーダンスの高いオペアンプでボルテージフォロア回路１０１を構成して、センサの出力レベルを安定させる。また、センサの位置から記録制御ＩＣ１０３までの物理的位置関係は離れていることが多いため、ノイズ対策としてもボルテージフォロア回路は有効となる。この場合、記録制御ＩＣ１０３の入力はアナログ信号対応のものとし、内部にＡ／Ｄコンバータを搭載してＡ／Ｄ変換を行って処理する。
【００５０】
この場合、センサの出力信号をアナログ信号で伝達するメリットについて簡単に説明する。図１０に反射型フォトセンサからの出力信号を示している。同図に示すように、実際に用紙１２がセンサ４１Ａに到達した時点ｔ１から、記録制御ＩＣ１０３内で用紙検知とみなす閾値電圧Ｖｒｅｆになる時点ｔ２までにはある一定の時間がかかることになる。したがって、閾値電圧Ｖｒｅｆを何ボルトに設定するかで位置検出の精度は変化することになる。
【００５１】
また、用紙の種類によって反射係数が異なるため、図１１に示すようにフォトセンサ４１Ａから出力される信号の電圧の振幅もそれに伴なって変化する。したがって、アナログ方式でセンサの出力信号を伝達して処理することにより、閾値電圧を低めに設定することで検出の精度を向上することができ、また用紙によって最適な閾値の設定を行うことができるようになる。
【００５２】
次に、反射型フォトセンサを用いた場合の回路構成の他の例を図１２に示している。この回路構成は、反射型フォトセンサ４１Ａにて搬送ベルト２１上の用紙１２を検知し、反射型フォトセンサ４１から出力される電気信号（出力信号）をシュミットトリガ入力のバッファ素子１０４を介して制御部７０を構成する記録動作等の制御を行う記録制御ＩＣ１０３に入力している。
【００５３】
すなわち、この回路構成はフォトセンサの出力信号をデジタル方式で伝達し処理するものである。センサ４１Ａの出力を直接記録制御ＩＣ１０３に入力してもよいが、センサの出力レベルの安定、ノイズ対策としてバッファ素子１０４をセンサ４１Ａに近い位置に配置する。バッファ素子１０４は入力インピーダンスの高いＣ−ＭＯＳタイプのものを使用し、また入力がアナログ信号なのでヒステリシス特性をもっているシュミットトリガ入力タイプのものを使用する。
【００５４】
このようにデジタル方式で伝達して処理することにより、回路を安価で構成できるとともに、「０」，「１」の情報で伝達するのでノイズの影響を受け難くなる。そのためには、前述したようにバッファ素子はセンサの近く、例えばキャリッ３上に配置することが好ましい。
【００５５】
次に、用紙の幅（キャリッジ走査方向の長さ）の検知について図１３を参照して説明する。
ここでは、前述したように、用紙１２の先端を検知した後、用紙１２上をセンサ４１がスキャン可能な位置まで用紙１２を搬送させ、図１３（ａ）に示すように、キャリッジ３をｘ軸方向（主走査方向）に移動させて、センサ４１にて用紙１２が存在する範囲を検知する。このとき、センサ４１からの出力は同図（ｂ）に示す出力信号遷移特性のように変化するので、この出力信号を処理することで用紙１２の幅を検知することができる。
【００５６】
この場合、センサ４１として反射型フォトセンサを用いた場合の回路構成については前述した図９又は図１２と同様である。また、この用紙の幅の検知は、用紙搬送後、１スキャン目のみ行うことで、処理を軽減できる。
【００５７】
なお、上記実施形態においては本発明をキャリッジを用いるシャトル型インクジェット記録装置に適用した例で説明したが、インクジェット記録装置に限らず、複写装置、ファクシミリ装置、複写装置／プリンタ／ファクシミリ装置の複合機などの画像形成装置にも適用することができる。
【００５８】
【発明の効果】
以上説明したように、本発明に係る画像形成装置によれば、キャリッジに記録媒体の先端あるいは幅を検知するための手段を備えたので、簡単な構成で用紙先端、用紙幅の検知が可能になるとともに誤記録を防止することができるようになる。
【図面の簡単な説明】
【図１】本発明に係る画像形成装置の一例を示す側面説明図
【図２】同装置の要部平面説明図
【図３】同装置の要部斜視説明図
【図４】同装置の制御部の概要を説明するブロック説明図
【図５】同制御部による制御の一例の説明に供するフロー図
【図６】同制御の説明に供する模式的平面説明図
【図７】同じく同制御の説明に供する模式的平面説明図
【図８】用紙センサの取り付け位置の他の例を説明する模式的平面説明図
【図９】用紙センサから出力信号の伝達回路構成の一例を説明するブロック説明図
【図１０】用紙センサの出力信号の変化の説明に供する説明図
【図１１】用紙センサの出力信号の用紙の反射率による変化の説明に供する説明図
【図１２】用紙センサから出力信号の伝達回路構成の他の例を説明するブロック説明図
【図１３】用紙幅検知の説明に供する説明図
【符号の説明】
３…キャリッジ、７…記録ヘッド、１０…給紙トレイ、１２…用紙、１３…給紙ローラ、１５…ガイド、１６…用紙検出センサ、２１…搬送ベルト、２２…カウンタローラ、２６…帯電ローラ、２７…搬送ローラ、２８…テンションローラ、４１…用紙センサ（検知手段）。
【図１】
2004351837.tif 000003
【図２】
2004351837.tif 000004
【図３】
2004351837.tif 000005
【図４】
2004351837.tif 000006
【図５】
2004351837.tif 000007
【図６】
2004351837.tif 000008
【図７】
2004351837.tif 000009
【図８】
2004351837.tif 000010
【図９】
2004351837.tif 000011
【図１０】
2004351837.tif 000012
【図１１】
2004351837.tif 000013
【図１２】
2004351837.tif 000014
【図１３】
2004351837.tif 000015